(57)【要約】【課題】モノクロモード時のみにおいてモノクロ画像用の現像装置に、混色していない黒色のリサイクルトナーを搬送する。【解決手段】画像形成装置１００は、感光体ドラム１５の表面にモノクロのトナー像を形成するモノクロ画像用の現像装置４４と、感光体ドラム１５の表面にカラーのトナー像を形成する複数のカラー画像用の現像装置４１〜４３と、現像装置４４のみを使用する時に、感光体ドラム１５の残トナーを除去する第１クリーニング装置２１Ａと、少なくとも１つの現像装置４１〜４３を使用する時に、感光体ドラム１５の残トナーを除去する第２クリーニング装置２１Ｂと、第１クリーニング装置２１Ａによって除去されたトナーを現像装置４４に搬送するリサイクル機構６０とを備えている。【選択図】図１
2007148152.tif 000002
【特許請求の範囲】
【請求項１】
表面に潜像が形成される像担持体と、
前記像担持体の表面にモノクロの現像剤像を形成するモノクロ画像用の現像装置と、
前記像担持体の表面にカラーの現像剤像を形成する複数のカラー画像用の現像装置と、
モノクロ画像用の現像装置のみを使用する時に、現像剤像を用紙に転写した後に前記像担持体に残っている現像剤を除去する第１クリーニング装置と、
少なくとも１つのカラー画像用の現像装置を使用する時に、現像剤像を用紙に転写した後に前記像担持体に残っている現像剤を除去する第２クリーニング装置と、
前記第１クリーニング装置によって除去された現像剤を前記モノクロ画像用の現像装置に搬送するリサイクル機構と、を備えたことを特徴とする画像形成装置。
【請求項２】
前記第１クリーニング装置は、前記像担持体の表面に当接する第１ブレードと、回転自在に支持され、周面が前記像担持体の表面に当接するブラシローラと、を備え、
前記第２クリーニング装置は、前記像担持体の表面に当接する第２ブレードを備えたことを特徴とする請求項１に記載の画像形成装置。
【請求項３】
前記像担持体は、回転自在であり、
前記ブラシローラは、前記像担持体の回転方向と逆方向に回転することを特徴とする請求項２に記載の画像形成装置。
【請求項４】
単一の駆動源を有し、前記第１ブレード及び前記ブラシローラと、前記第２ブレードと、のいずれか一方を択一的に前記像担持体から離接させる移動機構を備えたことを特徴とする請求項２に記載の画像形成装置。
【請求項５】
表面に潜像が形成されるモノクロ画像用の像担持体及び前記潜像を現像するモノクロ画像用の現像装置を有するモノクロ画像用の画像形成ユニットと、
表面に潜像が形成されるカラー画像用の像担持体及び前記潜像を現像するカラー画像用の現像装置を有する複数のカラー画像用の画像形成ユニットと、
前記モノクロ画像用の像担持体及び前記複数のカラー画像用の像担持体の表面に担持された現像剤像が順次重ねて転写される転写体と、を備え、
前記モノクロ画像用の画像形成ユニットは、前記モノクロ画像用の現像装置のみを用いる時に、現像剤像を用紙に転写した後に前記モノクロ画像用の像担持体に残っている現像剤を除去する第１クリーニング装置と、前記モノクロ画像用の現像装置及び少なくとも１つの前記カラー画像用の現像装置を使用する時に、現像剤像を用紙に転写した後に前記モノクロ画像用の像担持体に残っている現像剤を除去する第２クリーニング装置と、前記第１クリーニング装置によって除去された現像剤を前記モノクロ画像用の現像装置に搬送するリサイクル機構と、を含み、
前記複数のカラー画像用の画像形成ユニットのそれぞれは、現像剤像を用紙に転写した後に前記カラー画像用の像担持体に残っている現像剤を除去する第３クリーニング装置を含むことを特徴とする画像形成装置。
【請求項６】
表面に潜像が形成されるモノクロ画像用の像担持体及び前記潜像を現像するモノクロ画像用の現像装置を有するモノクロ画像用の画像形成ユニットと、
表面に潜像が形成されるカラー画像用の像担持体及び前記潜像を現像するカラー画像用の現像装置を有する複数のカラー画像用の画像形成ユニットと、
用紙を前記モノクロ画像用の像担持体及び前記複数のカラー画像用の像担持体に対向する位置に順次搬送する搬送機構と、を備え、
前記モノクロ画像用の画像形成ユニットは、前記モノクロ画像用の現像装置のみを用いる時に、現像剤像を用紙に転写した後に前記モノクロ画像用の像担持体に残っている現像剤を除去する第１クリーニング装置と、前記モノクロ画像用の現像装置及び少なくとも１つの前記カラー画像用の現像装置を使用する時に、現像剤像を用紙に転写した後に前記モノクロ画像用の像担持体に残っている現像剤を除去する第２クリーニング装置と、前記第１クリーニング装置によって除去された現像剤を前記モノクロ画像用の現像装置に搬送するリサイクル機構と、を含み、
前記複数のカラー画像用の画像形成ユニットのそれぞれは、現像剤像を用紙に転写した後に前記カラー画像用の像担持体に残っている現像剤を除去する第３クリーニング装置を含むことを特徴とする画像形成装置。
【請求項７】
前記第１クリーニング装置は、前記モノクロ画像用の像担持体の表面に当接する第１ブレードと、回転自在に支持され、周面が前記像担持体の表面に当接するブラシローラと、を備え、
前記第２クリーニング装置は、前記モノクロ画像用の像担持体の表面に当接する第２ブレードを備えたことを特徴とする請求項５または６に記載の画像形成装置。
【請求項８】
前記モノクロ画像用の像担持体は、回転自在であり、
前記ブラシローラは、前記モノクロ画像用の像担持体の回転方向と逆方向に回転することを特徴とする請求項７に記載の画像形成装置。
【請求項９】
単一の駆動源を有し、前記第１ブレード及び前記ブラシローラと、前記第２ブレードと、のいずれか一方を択一的に前記モノクロ画像用の像担持体から離接させる移動機構を備えたことを特徴とする請求項７に記載の画像形成装置。
【発明の詳細な説明】
【技術分野】
【０００１】
この発明は、モノクロ画像及びフルカラー画像を用紙に形成する画像形成装置、特に像担持体に残留する現像剤をリサイクルするクリーニング装置及びリサイクル機構に関する。
【背景技術】
【０００２】
電子写真方式の画像形成装置は、画像データに基づいて感光体ドラムに静電潜像を形成した後、現像剤（以下、トナーと言う。）を静電吸着させて現像剤像（以下、トナー像と言う。）を形成する。その後、トナー像を用紙に転写する。
【０００３】
トナー像が転写された後の感光体ドラムには、用紙に転写されなかったトナー（残トナー）が表面に残留している。そのため、この残トナーをクリーニング装置を用いて除去、回収している。回収されたトナーは、従来廃棄されていたが、トナーの浪費を防止すべく現像装置に搬送されて再使用されている。
【０００４】
ところが、モノクロ画像及びフルカラー画像を形成できる画像形成装置では、トナーの再利用が難しかった。これは、感光体ドラムに付着している残トナーが混色するからである。画像形成装置は、例えばトナー像が転写される中間転写ベルトと、中間転写ベルトの転写面に対向して一定方向に順に配置されたモノクロ画像用の画像形成ユニット及びフルカラー画像用の複数の画像形成ユニットとを備えている。
【０００５】
各色のトナー像は、画像形成ユニットの各感光体ドラムから中間転写ベルトに順次重ねて転写されるが、既に中間転写ベルトに転写されているトナー像の一部のトナーが、これからトナー像が転写される画像形成ユニットの感光体ドラムに付着する場合があるからである。
【０００６】
そのため、モノクロ画像が形成されるモノクロモード時において回収された黒色のトナーのみがリサイクルされていた。またフルカラー画像が形成されるフルカラーモード時においては、黒色の現像剤像を形成する画像形成ユニットのみにおいてリサイクルを行っていた。黒色のトナーについては、混色したトナーを再使用しても黒の色合いにあまり影響を与えないからである。
【０００７】
また、近年の画像形成装置には、モノクロ画像用の画像形成ユニット及びフルカラー画像用の複数の画像形成ユニットの全てにリサイクル機構を配置し、除去した残トナーを廃棄するトナー回収経路か再使用するトナーリサイクル経路かを切り換える切換部材を有する構成のものがある（例えば、特許文献１参照。）。これにより、モノクロモード時における混色していないトナーのみを再使用する。
【０００８】
具体的には、用紙搬送ベルトに沿って一定方向に配置された画像形成ユニットのうち最も上流側に位置する画像形成ユニットと、モノクロ画像用の画像形成ユニットとを除く画像形成ユニットが有するクリーニング装置に配置された切換部材によって、モノクロモード時にトナーリサイクル経路に切り換えられ、フルカラーモード時にトナー回収経路に切り換えられる。
【０００９】
これにより、モノクロモード時にフルカラー画像用の画像形成ユニットにおいて感光体ドラムの混色していない残トナーを除去、リサイクルする。モノクロモード時においてはモノクロ画像用の画像形成ユニットが使用されるだけであるので、フルカラー画像用の画像形成ユニットの感光体ドラムの残トナーは混色していないからである。
【００１０】
また、近年の画像形成装置には、感光体ドラムの表面に当接するブラシローラとクリーニングブレードとを備えたクリーニング装置を備え、ブラシローラによって除去された残トナーをリサイクルトナーとして現像装置に搬送し、クリーニングブレードによって除去された残トナーを廃棄トナーとして廃棄する構成を備えたものがある（例えば、特許文献２参照。）。クリーニング装置は、モノクロ画像用の画像形成ユニット及びフルカラー画像用の複数の画像形成ユニットのそれぞれに配置され、モノクロモード及びフルカラーモードの両モードにおいてクリーニングを行っている。
【００１１】
ブラシローラには、正の電圧を印加され、混色している残トナーのうち再使用すべき色の残トナーのみを除去している。これは、転写ベルトに転写されたトナー像から感光体ドラムに吸着した他の色のトナーと、感光体ドラムから転写ベルトに転写されなかった再使用すべき色の残トナーとの帯電極性が異なるからである。
【特許文献１】特開２００１−５２４３号公報
【特許文献２】特開２００３−１５００１３号公報
【発明の開示】
【発明が解決しようとする課題】
【００１２】
しかしながら、特許文献１の構成では、切換部材を備えたクリーニング装置内において廃棄すべき残トナーと再使用すべき残トナーとが搬送される経路が一部重なるため、単色のリサイクルすべき残トナーが回収されてきても廃棄すべき残トナーと混合されてしまう可能性がある。また、モノクロ画像用の画像形成ユニットにおいてはフルカラーモードにおいて混色した残トナーを回収し、再使用しているので画質に影響を与えている。黒色は混色であってもほとんど画質に影響を与えないが、近年の画像形成装置においては高画質化が求められているので、影響がないとは言えない。
【００１３】
また、特許文献２の構成では、混色を防止して再使用すべき色の残トナーのみが除去されて現像装置に搬送されるが、廃棄すべき残トナーも同極性に帯電している場合があり、意図する色の残トナーのみを除去し、再使用できない可能性がある。
【００１４】
この発明の目的は、モノクロモード時のみにおいてモノクロ画像用の現像装置に、混色していない黒色のリサイクルトナーを搬送することができる画像形成装置を提供することにある。
【課題を解決するための手段】
【００１５】
この発明は、上記の課題を解決するために、以下の構成を備えている。
【００１６】
（１）画像形成装置は、像担持体と、モノクロ画像用の現像装置と、カラー画像用の複数の現像装置と、第１クリーニング装置と、第２クリーニング装置と、リサイクル機構と、を備えている。
【００１７】
像担持体は、表面に潜像が形成される。モノクロ画像用の現像装置は、像担持体の表面にモノクロのトナー像を形成する。複数のカラー画像用の現像装置は、像担持体の表面にカラーのトナー像を形成する。第１クリーニング装置は、モノクロ画像用の現像装置のみを使用する時に、トナー像を用紙に転写した後に像担持体に残っているトナーを除去する。第２クリーニング装置は、少なくとも１つのカラー画像用の現像装置を使用する時に、トナー像を用紙に転写した後に像担持体に残っているトナーを除去する。リサイクル機構は、第１クリーニング装置によって除去されたトナーをモノクロ画像用の現像装置に搬送する。
【００１８】
この構成においては、モノクロ画像用の現像装置のみによって像担持体にトナー像が形成される時に、第１クリーニング装置によって像担持体から黒色の残トナーが除去、回収される。その後、回収された黒色の残トナーは、モノクロ画像用の現像装置に搬送されて再使用される。
【００１９】
一方、少なくとも１つのカラー画像用の現像装置によって像担持体にトナー像が形成される時に、第２クリーニング装置によって像担持体から混色の残トナーが除去、回収され、その後に例えば廃棄される。したがって、各クリーニング装置によって残トナーが別々に回収されるので、再使用されるトナーが混色することがない。
【００２０】
（２）第１クリーニング装置は、像担持体の表面に当接する第１ブレードと、回転自在に支持され、周面が像担持体の表面に当接するブラシローラと、を備えている。第２クリーニング装置は、像担持体の表面に当接する第２ブレードを備えている。
【００２１】
この構成においては、モノクロ画像用の現像装置のみによって像担持体にトナー像が形成される時に、第１ブレード及びブラシローラによって像担持体の残トナーが除去される。一方、少なくとも１つのカラー画像用の現像装置によって像担持体にトナー像が形成される時に、第２ブレードによって像担持体の残トナーが除去される。ブラシローラは、ブレードよりも当接力を必要とせず、除去する際に残トナーが凝集することが防止される。そのため、第１ブレードにブラシローラを組み合わせることで、第１ブレードの像担持体への当接力が第２ブレードよりも弱くてもトナーの除去性能の低下が防止される。
【００２２】
（３）像担持体は回転自在であり、ブラシローラは像担持体の回転方向と逆方向に回転する。
【００２３】
この構成においては、ブラシローラが像担持体の回転とは逆に回転する。したがって、像担持体とブラシローラとの当接箇所においてそれぞれの表面の進行方向が同方向になるので、ブラシローラによって除去される残トナーが凝集され難い。
【００２４】
（４）画像形成装置は、移動機構を備えている。移動機構は、単一の駆動源を有し、第１ブレード及びブラシローラと、第２ブレードと、のいずれか一方を択一的に像担持体から離接させる。
【００２５】
この構成においては、モノクロ画像用の現像装置のみによって像担持体にトナー像が形成される時に、単一の駆動源により駆動された移動機構によって、第１ブレード及びブラシローラが像担持体に当接し、第２ブレードが像担持体から離間する。また、少なくとも１つのカラー画像用の現像装置によって像担持体にトナー像が形成される時に、第１ブレード及びブラシローラが像担持体から離間し、第２ブレードが像担持体に当接する。したがって、単一の駆動源の駆動によって第１ブレード及びブラシローラと、第２ブレードとが択一的に離接するので、構成が複雑にならない。
【００２６】
（５）画像形成装置は、モノクロ画像用の画像形成ユニットと、カラー画像用の複数の画像形成ユニットと、転写体と、を備えている。
【００２７】
モノクロ画像用の画像形成ユニットは、表面に潜像が形成されるモノクロ画像用の像担持体及び潜像を現像するモノクロ画像用の現像装置を有する。複数のカラー画像用の画像形成ユニットのそれぞれは、表面に潜像が形成されるカラー画像用の像担持体及び潜像を現像するカラー画像用の現像装置を有する。転写体は、モノクロ画像用の像担持体及び複数のカラー画像用の像担持体の表面に担持されたトナー像が順次重ねて転写される。
【００２８】
モノクロ画像用の画像形成ユニットは、さらにモノクロ画像用の現像装置のみを用いる時に、トナー像を用紙に転写した後にモノクロ画像用の像担持体に残っているトナーを除去する第１クリーニング装置と、モノクロ画像用の現像装置及び少なくとも１つの前記カラー画像用の現像装置を使用する時に、トナー像を用紙に転写した後に前記モノクロ画像用の像担持体に残っているトナーを除去する第２クリーニング装置と、第１クリーニング装置によって除去されたトナーをモノクロ画像用の現像装置に搬送するリサイクル機構と、を含んでいる。複数のカラー画像用の画像形成ユニットのそれぞれは、さらにトナー像を用紙に転写した後にカラー画像用の像担持体に残っているトナーを除去する第３クリーニング装置を含んでいる。
【００２９】
この構成においては、モノクロ画像用の現像装置のみによってモノクロ画像用の像担持体にトナー像が形成される時に、第１クリーニング装置によってモノクロ画像用の像担持体から黒色の残トナーが除去、回収される。その後、回収された黒色の残トナーは、モノクロ画像用の現像装置に搬送されて再使用される。
【００３０】
一方、モノクロ画像用の現像装置及び少なくとも１つの前記カラー画像用の現像装置によって各像担持体にトナー像が形成される時に、第２クリーニング装置によってモノクロ画像用の像担持体及び複数のカラー画像用の像担持体から混色の残トナーが除去、回収され、その後に例えば廃棄される。したがって、各クリーニング装置によって残トナーが別々に回収されるので、再使用されるトナーが混色することがない。
【００３１】
（６）画像形成装置は、モノクロ画像用の画像形成ユニットと、カラー画像用の複数の画像形成ユニットと、搬送機構と、を備えている。
【００３２】
モノクロ画像用の画像形成ユニットは、表面に潜像が形成されるモノクロ画像用の像担持体及び潜像を現像するモノクロ画像用の現像装置を有する。複数のカラー画像用の画像形成ユニットは、表面に潜像が形成されるカラー画像用の像担持体及び潜像を現像するカラー画像用の現像装置を有する。搬送機構は、用紙をモノクロ画像用の像担持体及び複数のカラー画像用の像担持体に対向する位置に順次搬送する。
【００３３】
モノクロ画像用の画像形成ユニットは、さらにモノクロ画像用の現像装置のみを用いる時に、トナー像を用紙に転写した後にモノクロ画像用の像担持体に残っているトナーを除去する第１クリーニング装置と、モノクロ画像用の現像装置及び少なくとも１つの前記カラー画像用の現像装置を使用する時に、トナー像を用紙に転写した後に前記モノクロ画像用の像担持体に残っているトナーを除去する第２クリーニング装置と、第１クリーニング装置によって除去されたトナーをモノクロ画像用の現像装置に搬送するリサイクル機構と、を含んでいる。複数のカラー画像用の画像形成ユニットのそれぞれは、さらにトナー像を用紙に転写した後にカラー画像用の像担持体に残っているトナーを除去する第３クリーニング装置を含んでいる。
【００３４】
この構成においては、モノクロ画像用の現像装置のみによってモノクロ画像用の像担持体にトナー像が形成される時に、第１クリーニング装置によってモノクロ画像用の像担持体から黒色の残トナーが除去、回収される。その後、回収された黒色の残トナーは、モノクロ画像用の現像装置に搬送されて再使用される。
【００３５】
一方、モノクロ画像用の現像装置及び少なくとも１つの前記カラー画像用の現像装置によって各像担持体にトナー像が形成される時に、第２クリーニング装置によってモノクロ画像用の像担持体及び複数のカラー画像用の像担持体から混色の残トナーが除去、回収され、その後に例えば廃棄される。したがって、各クリーニング装置によって残トナーが別々に回収されるので、再使用されるトナーが混色することがない。
【発明の効果】
【００３６】
この発明によれば、以下の効果を奏することができる。
【００３７】
（１）第１クリーニング装置を用いてモノクロ画像用の現像装置のみを使用する時に、像担持体から除去、回収した黒色の残トナーのみを再使用することによって、混色していないトナーを除去、回収でき、且つ、回収後も混色することを防止できるので、混色していないトナーを再使用することができる。これにより、トナーの再使用による画質の低下を抑制することができる。
【００３８】
（２）モノクロ画像用の現像装置のみを使用する時に、第１ブレード及びブラシローラを用いて像担持体の残トナーを除去することによって、除去する際に残トナーが凝集することを防止できるので、画質の低下を抑制できる。また、除去能力を維持しつつモノクロモード用ブレードの像担持体への当接力を弱めることができるので、像担持体の寿命が低下することを防止することができる。
【００３９】
（３）像担持体とブラシローラとの回転方向を逆にすることによって、ブラシローラによって除去される残トナーが凝集されることをより防止することができる。
【００４０】
（４）単一の駆動源を用いて移動機構を駆動して第１ブレード及びブラシローラと、第２ブレードとを択一的に像担持体から離接させることによって、単純な構成で第１ブレード及びブラシローラと、第２ブレードとを択一的に像担持体から離接させることができる。
【００４１】
（５）第１クリーニング装置を用いてモノクロ画像用の現像装置のみを使用する時に、モノクロ画像用の像担持体除去、回収した黒色の残トナーのみを再使用することによって、混色していないトナーを除去、回収でき、且つ、回収後も混色することを防止できるので、混色していないトナーを再使用することができる。これにより、トナーの再使用による画質の低下を抑制することができる。
【００４２】
（６）第１クリーニング装置を用いてモノクロ画像用の現像装置のみを使用する時に、モノクロ画像用の像担持体から除去、回収した黒色の残トナーのみを再使用することによって、混色していないトナーを除去、回収でき、且つ、回収後も混色することを防止できるので、混色していないトナーを再使用することができる。これにより、トナーの再使用による画質の低下を抑制することができる。
【発明を実施するための最良の形態】
【００４３】
以下、この発明の最良の実施形態に係る画像形成装置を図面を参照しつつ詳細に説明する。
【００４４】
（第１実施形態）
図１は、この発明の実施形態に係る画像形成装置の簡単な構成を示す断面図である。画像形成装置１００は、収容している用紙（ＯＨＰ等の記録媒体を含む）を繰り出す給紙部１と、用紙にトナー像を転写する転写部２と、トナー像を形成する現像部３と、用紙に転写されたトナー像を定着させる定着部４とを備えている。
【００４５】
給紙部１は、用紙を収容する給紙カセット５及び手差トレイ６等から構成されている。また、給紙部１は、ピックアップローラ７、ＰＦローラ８、手差ローラ９、及びプリカールローラ１０等を備えている。ピックアップローラ７は、給紙カセット５の最上部から用紙を一枚ずつ繰り出す。ＰＦローラ８は、ピックアップローラ７により繰り出された用紙を搬送する。手差ローラ９は、手差トレイ６に収容された用紙を１枚ずつ搬送する（繰り出す）。プリカールローラ１０は、ＰＦローラ８及び手差ローラ９により搬送された用紙をカールする。用紙をカールするのは、用紙を転写部２に備えられた転写ドラム１１の表面に吸着させ易くするためである。
【００４６】
給紙カセット５には、図示しないバネにより上方に付勢された繰出部材５Ａが設けられている。この繰出部材５Ａに用紙が積層される。これにより、給紙カセット５に収納された用紙は、最上部が常にピックアップローラ７に当接すｓる。
【００４７】
転写部２は、転写ドラム１１を有し、転写ドラム１１の周面に沿って順に配置されたグランドローラ１２、ガイド部材１３、及び剥離爪１４等から構成されている。転写ドラム１１は、用紙を周面上に吸着させて転写位置に搬送する。グランドローラ１２は、接地され、表面が転写ドラムに当接する当接部材である。ガイド部材１３は、転写ドラム１１に吸着・搬送される用紙を転写ドラム１１から剥がれないようにガイドする。剥離爪１４は、転写ドラム１１の周面に吸着した用紙を強制的に剥離する。
【００４８】
また、転写部２は、光学センサ３０、クリーナ１１Ａ、及び除電チャージャ３１を備えている。光学センサ３０は、転写ドラム１１に転写されたトナー濃度を測定する。クリーナ１１Ａは、転写ドラム１１上の残トナーや紙粉等の異物を除去する。除電チャージャ３１は、転写ドラム１１の図１に示す矢印方向（回転方向）におけるクリーナ１１Ａよりも下流側に位置し、転写ドラム１１の周面を除電する。
【００４９】
現像部３は、感光体ドラム１５を有し、感光体ドラム１５の表面に沿って順に配置された、帯電器２０、図示しない露光装置、現像装置４１〜４４、及びクリーニング部２１等から構成されている。
【００５０】
この発明の像担持体に相当する感光体ドラム１５は、表面にトナー像を担持し、転写ドラム１１との当接位置（転写位置）において転写ドラム１１に吸着している用紙にトナー像を転写する。また、感光体ドラム１１は、接地された導電性の図示しないアルミニウム素管等から構成され、表面にＯＰＣ（Ｏｒｇａｎｉｃ  Ｐｈｏｔｏ  Ｃｏｎｄｕｃｔｏｒ）膜が塗布されている。 
帯電器２０は、感光体ドラム１５の表面を所定の電圧に帯電させる。露光装置は、画像データに基づいて感光体ドラム１５の表面に静電潜像を形成する。現像装置４１〜４４は、イエロー、マゼンタ、シアン、及びブラックのトナーを収容し、感光体ドラム１１の表面に形成された静電潜像を現像する。また、本実施形態の画像形成装置１００は、モノクロ画像を形成するモノクロモード及びフルカラー画像を形成するフルカラーモードに基づいて画像形成を行う。なお、現像装置４１〜４３は本発明のカラー画像用の現像装置に相当し、現像装置４４は本発明のモノクロ画像用の現像装置に相当する。
【００５１】
クリーニング部２１は、第１クリーニング装置２１Ａ、第２クリーニング装置２１Ｂを備え、用紙にトナー像が転写された後の感光体ドラム１５の表面に付着する残トナーを除去、回収する。
【００５２】
第１クリーニング装置２１Ａは、モノクロ画像用の現像装置４４のみを使用するモノクロモード時において感光体ドラムからブラックの残トナーを除去、回収する。第２クリーニング装置２１Ｂは、フルカラーモード時において混色の残トナーを除去、回収する。詳細は後述する。
【００５３】
また、第１クリーニング装置２１Ａには、リサイクル機構６０が接続されている。リサイクル機構６０は、第１クリーニング装置２１Ａとブラックのトナーを収容する現像装置４４とを接続し、回収したブラックの残トナーをリサイクルトナーとして現像装置４４内に搬送する。リサイクル機構６０は、搬送スクリュ６１等から構成されている。搬送スクリュ６１は、第１クリーニング装置２１Ａの内部に回収されたブラックの残トナーを回転により現像装置４４に搬送する。
【００５４】
定着部４は、定着ガイド２２、定着ローラ２３等から構成されている。定着ガイド２２は、剥離爪１４によって剥離された用紙を定着ローラ２３までガイドする。定着ローラ２３は、所定の温度及び圧力により、用紙上に転写されたトナー像を融着させることで定着させる。トナーが定着して画像形成が完了した用紙は、定着部４を通過して排出トレイ２５に排出される。
【００５５】
図２は、クリーニング部２１の構成を示す断面図である。第１クリーニング装置２１Ａは、第１ブレード５１、ブラシローラ５２を備えている。第１ブレード５１は、感光体ドラム１５の表面に当接した状態でブラックの残トナーを掻き取る。ブラシローラ５２は、感光体ドラム１５の回転方向と逆方向に回転し、感光体ドラム１５の表面に当接した状態でブラックの残トナーを掃き取る。第１ブレード５１及びブラシローラ５２によって除去された残トナーは、第１クリーニング装置２１Ａの内部に収容される。
【００５６】
第２クリーニング装置２１Ｂは、第２ブレード５３を備えている。第２ブレード５３は、感光体ドラム１５の表面に当接した状態で混色の残トナーを掻き取る。掻き取られた残トナーは、第２クリーニング装置２１Ｂの内部に収容される。また、第２クリーニング装置２１Ｂは、掻き取った残トナーを内部に搬送する搬送ブラシローラ５４が配設されている。収容された混色の残トナーは廃棄される。
【００５７】
なお、第１ブレード５１は、第２ブレード５３よりも感光体ドラム１５の表面への当接力は弱く設定されている。したがって、第１クリーニング装置２１Ａはブラシローラ５２によっても残トナーを除去するので、除去能力を維持しつつ、第１ブレード５１の当接力によって残トナーが凝集することを防止できる。また、当接力が弱いので感光体ドラム１５の寿命の低下を抑制することができる。
【００５８】
しかも、ブラシローラ５２の回転方向を感光体ドラム１５の回転方向とが逆であるので、ブラシローラ５２により残トナーが凝集することをより防止することができる。
【００５９】
クリーニング部２１は、さらに移動機構５５を備えている。移動機構５５は、揺動部材５６、ソレノイド５７等から構成されている。揺動部材５６は、一端に第１クリーニング装置２１Ａが接続され、他端に第２クリーニング装置２１Ｂが接続されている。また、移動機構５５は、中心において回転自在に支持され、回転により第１及び第２クリーニング装置２１Ａ，２１Ｂを感光体ドラム１５の表面から択一的に離接させる。第２クリーニング装置２１Ｂは、バネ５８によって感光体ドラム１５の表面から離間する方向に付勢されている。
【００６０】
この発明の駆動源に相当するソレノイド５７は、揺動部材５６のクリーニング装置２１Ａ側に接続され、オン、オフにより揺動部材５６を回転させる。また、ソレノイド５７は、ソレノイドドライバ５９を介して制御部７０によってオン、オフが制御される。制御部７０は、画像形成装置１００全体の動作を制御する。
【００６１】
フルカラーモード時において、制御部７０がソレノイド５７をオンすると揺動部材５６の回転によって第１クリーニング装置２１Ａの全体が感光体ドラム１５から離間する方向に移動し、第２クリーニング装置２１Ｂ全体が感光体ドラム１５に近づく方向に移動する。
【００６２】
これにより、第１ブレード５１及びブラシローラ５２が感光体ドラム１５の表面から離間し、第２ブレード５３が感光体ドラム１５の表面に当接する。
【００６３】
一方、モノクロモード時において、制御部７０がソレノイド５７をオフすると、バネ５８の弾性力によって第２クリーニング装置２１Ｂ全体が感光体ドラム１５から離間する方向に移動する。この時、移動機構５５も回転し、第１クリーニング装置２１Ａ全体を感光体ドラム１５に近づける方向に移動させる。
【００６４】
これにより、第１ブレード５１及びブラシローラ５２が感光体ドラム１５の表面に当接し、第２ブレード５３が感光体ドラム１５の表面から離間する。
【００６５】
以上のように、本実施形態の画像形成装置１００にモノクロモード時に残トナーを回収する第１クリーニング装置２１Ａ及びフルカラーモード時に残トナーを回収する第２クリーニング装置２１Ｂを備えることによって、混色していないブラックのトナーを除去、回収でき、且つ、回収後も混色することを防止できるので、混色していないブラックのトナーを再使用することができる。これにより、トナーの再使用による画質の低下を抑制することができる。
【００６６】
なお、本実施形態では、フルカラーモード時において第２クリーニング装置２１Ｂを用いて感光体ドラム１５の残トナーを除去しているが、少なくとも１つのカラー画像用の現像装置４１〜４３が使用される際に第２クリーニング装置２１Ｂを用いて残トナーを除去すればよい。
【００６７】
また、本実施形態では、単一の駆動源であるソレノイド５６の駆動により移動機構５５を回転させてクリーニング装置２１Ａ，２１Ｂを択一的に移動させているので、画像形成装置１００の構成を単純にすることができる。
【００６８】
（第２実施形態）
図３は、この発明の実施形態に係る画像形成装置の概略の構成を示す断面図である。画像形成装置２００は、両面自動原稿送り装置（RADF；Reversing  Automatic  Document
Feeder）２１２、原稿台２１１、画像読取部２１０、画像形成部２１０、及び給紙機構３１１を備え、画像データに基づいて用紙に画像を形成する。
【００６９】
両面自動原稿送り装置２１２は、原稿台２１１の上面を開閉可能な状態に配置される。両面自動原稿送り装置２１２は、両面読取モード時には、まず、原稿の一方の面が画像読取部２１０に対向するように原稿台２１１上の所定位置に原稿を搬送し、この一方の面についての画像読取が終了した後に、原稿の他方の面が画像読取部２１０に対向するように原稿を反転させて原稿台２１１上の所定位置に搬送する。
【００７０】
そして、両面自動原稿送り装置２１２は、１枚の原稿について両面の画像読取が終了した後にこの原稿を排出し、次の原稿についての両面搬送動作を実行する。以上の原稿の搬送および表裏反転の動作は、画像形成装置１全体の動作に関連して制御される。
【００７１】
画像読取部２１０は、原稿台２１１の下方に配置され、両面自動原稿送り装置２１２によって原稿台２１１上に搬送されてきた原稿の画像を読み取る。画像読取部２１０は、原稿台２１１の下面に沿って往復移動する第１の走査ユニット２１３および第２の走査ユニット２１４と、光学レンズ２１５と、光電変換素子であるＣＣＤラインセンサ２１６と、を備える。
【００７２】
第１の走査ユニット２１４は、原稿の画像の表面を露光する露光ランプと、原稿からの反射光像を所定の方向に偏向する第１ミラーと、を有し、所定の走査速度で原稿台２１１に対して平行に往復移動する。第２の走査ユニット２１４は、第１の走査ユニット２１３の第１ミラーによって偏向された原稿からの反射光像をさらに所定の方向に偏向する第２ミラーおよび第３ミラーを有し、第１の走査ユニット２１３と一定の速度関係を保って原稿台２１１に対して平行に往復移動する。
【００７３】
光学レンズ２１５は、第２の走査ユニットの第３ミラーによって偏向された原稿からの反射光像を縮小し、縮小された光像をＣＣＤラインセンサ２１６上の所定位置に結像させる。
【００７４】
ＣＣＤラインセンサ２１６は、結像された光像を順次光電変換して電気信号として出力する。ＣＣＤラインセンサ２１６は、白黒画像またはカラー画像を読み取り、Ｒ(赤)、Ｇ(緑)、Ｂ(青)の各色成分に色分解したラインデータを出力することのできる３ラインのカラーＣＣＤである。このＣＣＤラインセンサ２１６によって電気信号に変換された画像データは、さらに画像処理部に転送されて所定の画像処理が施される。
【００７５】
画像読取部２１０の下方に、画像形成部３１０および給紙機構３１１が配置される。給紙機構３１１は、画像形成部３１０の下方に配置され、用紙トレイ内に積載して収容されている用紙を１枚ずつ分離して画像形成部３１０に向けて供給する。１枚ずつ分離して供給された用紙は、画像形成部３１０の手前に配置された一対のレジストローラ３１２によってタイミングを制御されて画像形成部３１０に搬送される。
【００７６】
画像形成部３１０と給紙機構３１１との間に、転写搬送ベルト機構３１３が配置される。転写搬送ベルト機構３１３は、駆動ローラ３１４、従動ローラ３１５、転写搬送ベルト３１６等から構成され、駆動ローラ３１４と従動ローラ３１５との間に略平行に張架された転写搬送ベルト３１６に用紙を静電吸着させて搬送する。なお、転写搬送ベルト機構３１３は、本発明の搬送機構に相当する。
【００７７】
さらに、転写搬送ベルト機構３１３より用紙の搬送方向の下流側に、用紙上に転写されたトナー像を用紙上に定着させる定着装置３１７が配置される。定着装置３１７の一対の定着ローラ間を通過した用紙は、用紙の搬送方向を切り換える切り換えゲート３１８を経て、排出ローラ３１９によって画像形成装置１の外壁に取り付けられている排紙トレイ３２０上に排出される。
【００７８】
切り換えゲート３１８は、画像の定着後の用紙の搬送経路を、排出トレイ３２０へ用紙を排出する経路と、画像形成部３１０に向けて用紙を再供給する経路と、に選択的に切り換える。切り換えゲート３１８によって再び画像形成部３１０に向けて搬送された用紙は、スイッチバック搬送経路３２１を経由することで表裏を反転された後、画像形成部３１０へ再度供給される。
【００７９】
画像形成部３１０は、転写搬送ベルト３１６の上面に近接するように、モノクロ画像用の画像形成ユニットＰＡ、カラー画像用の画像形成ユニットＰＢ、画像形成ユニットＰＣ、画像形成ユニットＰＤを備え、各画像形成ユニットＰＡ〜ＰＤは、用紙の搬送方向の上流側からこの順で並設される。
【００８０】
転写搬送ベルト３１６は、駆動ローラ３１４によって、図３において矢印Ｚで示す方向に摩擦駆動され、給紙機構３１１によって給送される用紙を担持し、用紙を画像形成ユニットＰＡ〜ＰＤへ順次搬送する。
【００８１】
各画像形成ユニットＰＡ〜ＰＤは、同一の構成であるので、画像形成ユニットＰＡについて説明する。画像形成ユニットＰＡは、図３に示す矢印Ｆ方向に回転駆動される像担持体である感光体ドラム３２２Ａを含んでいる。
【００８２】
感光体ドラム３２２Ａの周辺には、帯電器３２３Ａ、レーザビームスキャナユニット３２７Ａ、現像装置１１０Ａ、転写用放電器３２５Ａ、及びクリーニング部３２６Ａが感光体ドラム３２２Ａの回転方向に沿ってこの順に配置されている。帯電器３２３Ａは、感光体ドラム３２２Ａをそれぞれ一様に帯電させる。現像装置１１０Ａは、感光体ドラム３２２Ａ上に形成された静電潜像を現像する。転写用放電器３２５Ａは、感光体ドラム３２２Ａ上のトナー像を用紙へ転写する。
【００８３】
クリーニング部３２６Ａは、感光体ドラム３２２Ａ上に残留するトナーを除去、回収する。クリーニング部３２６Ａと同様に、クリーニング部３２６Ｂ〜３２６Ｄのそれぞれは、現像・画像転写後における感光体ドラム３２２Ｂ〜３２２Ｄの表面の残トナーを除去・回収する。詳細は後述する。
【００８４】
レーザビームスキャナユニット３２７Ａは、画像データに基づいて変調されたドット光を発する半導体レーザ素子(図示せず)、半導体レーザ素子からのレーザビームを主走査方向に偏向させるためのポリゴンミラー３４０Ａ、ポリゴンミラー３４０Ａによって偏向されたレーザビームを感光体ドラム３２２Ａの表面に結像させるためのｆθレンズ３４１Ａおよびミラー３４２Ａ，３４３Ａ等から構成されている。
【００８５】
レーザビームスキャナユニット３２７Ａにはカラー原稿画像の黒色成分像に対応する画素信号が、レーザビームスキャナユニット３２７Ｂにはカラー原稿画像のシアン色成分像に対応する画素信号が、レーザビームスキャナユニット３２７Ｃにはカラー原稿画像のマゼンタ色成分像に対応する画素信号が、そして、レーザビームスキャナユニット３２７Ｄにはカラー原稿画像のイエロー色成分像に対応する画素信号が、それぞれ入力される。
【００８６】
これによって色分解された画像データに対応する静電潜像が各感光体ドラム３２２Ａ〜３２２Ｄ上に形成される。そして、現像装置１１０Ａにはブラックのトナーが、現像装置１１０Ｂにはシアン色のトナーが、現像装置１１０Ｃにはマゼンタ色のトナーが、現像装置１１０Ｄにはイエロー色のトナーが、それぞれ収容され、感光体ドラム３２２Ａ〜３２２Ｄ上の静電潜像は、これら各色のトナーによって現像される。これによって、色変換された画像データが各色のトナー像として再現される。
【００８７】
なお、現像装置１１０Ｂ〜１１０Ｄは本発明のカラー画像用の現像装置に相当し、現像装置１１０Ａは本発明のモノクロ画像用の現像装置に相当する。
【００８８】
画像形成ユニットＰＤと定着装置３１７との間で駆動ローラ３１４の略真上部に除電器３２９が設けられる。除電器３２９には、搬送ベルト３１６に静電吸着されている用紙を転写搬送ベルト３１６から分離するための交流電圧が印加される。
【００８９】
各画像形成ユニットＰＡ〜ＰＤでは、各色のトナー像がそれぞれ形成され、転写搬送ベルト３１６によって静電吸着されて搬送される用紙上で重ね合わされる。画像形成ユニットＰＤによるトナー像の転写が完了すると、用紙は、その先端部分から順次、除電器３２９によって転写搬送ベルト３１６から剥離され、定着装置３１７へ導かれる。トナー像を定着された用紙は、用紙排出口(図示せず)から排紙トレイ３２０上へ排出される。
【００９０】
図４は、クリーニング部３２６Ａの構成を示す断面図である。クリーニング部３２６Ａは、第１クリーニング装置３５０Ａ、第２クリーニング装置３５１Ａ及び移動機構３５２Ａ等から構成されている。
【００９１】
第１クリーニング装置３５０Ａは、第１ブレード３５０１Ａ及びブラシローラ３５０２Ａを備え、モノクロ画像用の現像装置１１０Ａを使用するモノクロモード時においてブラックの残トナーを除去、回収する。第１ブレード３５０１Ａは、感光体ドラム３２２Ａに当接した状態でブラックの残トナーを掻き取る。ブラシローラ３５０２Ａは、感光体ドラム３２２Ａの回転方向と逆方向に回転し、感光体ドラム３２２Ａの表面に当接した状態でブラックの残トナーを掃き取る。第１ブレード３５０１Ａ及びブラシローラ３５０２Ａによって除去された残トナーは、第１クリーニング装置３５０Ａの内部に収容される。
【００９２】
また、第１クリーニング装置３５０Ａには、図３に示すようにリサイクル機構３６０が接続されている。リサイクル機構３６０は、第１クリーニング装置３５０Ａとブラックのトナーを収容する現像装置１１０Ａとを接続し、回収したブラックの残トナーをリサイクルトナーとして現像装置１１０Ａ内に搬送する。リサイクル機構３６０は、搬送スクリュ３６１等から構成されている。搬送スクリュ３６１は、第１クリーニング装置３５０Ａの内部に回収されたブラックの残トナーを回転により現像装置１１０Ａに搬送する。
【００９３】
第２クリーニング装置３５１Ａは、第２ブレード３５１１Ａを備え、現像装置１１０Ａ〜１１０Ｄを使用するフルカラー画像を形成するフルカラーモード時において混色の残トナーを除去、回収する。第２ブレード３５１１Ａは、感光体ドラム３２２Ａに当接した状態で混色の残トナーを掻き取る。掻き取った残トナーは廃棄される。
【００９４】
なお、第１ブレード３５０１Ａは、第２ブレード３５１１Ａよりも感光体ドラム３２２Ａの表面への当接力が弱く構成されている。
【００９５】
移動機構３５２Ａは、クリーニング装置３５０Ａ，３５１Ａを支持するプレート３５２１Ａ、プレート３５２１Ａを支持する回転軸３５２２Ａ及び回転軸３５２２Ａを駆動するモータ３５２３Ａ等から構成され、第１及び第２クリーニング装置３５０Ａ，３５１Ａを択一的に感光体ドラム３２２Ａから離間させる。
【００９６】
プレート３５２１Ａは、第１及び第２クリーニング装置３５０Ａ，３５１Ａを支持する。回転軸３５２２Ａは、プレート３５２１Ａを回転自在に支持する。モータ３５２３Ａは、回転軸３５２２Ａを駆動する。また、モータ３５２３Ａは、モータドライバ３５３Ａを介して制御部３７０によって動作が制御される。制御部３７０は、画像形成装置２００全体の動作を制御する。モータ３５２３Ａは、可逆回転可能である。
【００９７】
フルカラーモード時において、制御部３７０がモータ３５２３Ａを正回転させるとプレート３５２１Ａが揺動する。これに伴って、第１クリーニング装置３５０Ａ全体が感光体ドラム３２２Ａから離間する方向に揺動し、第２クリーニング装置３５１Ａ全体が感光体ドラム３２２Ａに近づく方向に揺動する。
【００９８】
これにより、第１ブレード３５０１Ａ及びブラシローラ３５０２Ａが感光体ドラム３２２Ａの表面から離間し、第２ブレード３５１１Ａが感光体ドラム３２２Ａの表面に当接する。
【００９９】
一方、モノクロモード時において、制御部３７０がモータ３５２３Ａを逆回転させると、プレート３５２１Ａが揺動する。これに伴って、第２クリーニング装置３５１Ａ全体が感光体ドラム３２２Ａから離間する方向に揺動し、第１クリーニング装置３５０Ａ全体が感光体ドラム３２２Ａに近づく方向に揺動する。
【０１００】
これにより、第１ブレード３５０１Ａ及びブラシローラ３５０２Ａが感光体ドラム３２２Ａの表面に当接し、第２ブレード３５１１Ａが感光体ドラム３２２Ａの表面から離間する。
【０１０１】
なお、画像形成ユニットＰＢ〜ＰＤに備えられるクリーニング部３２６Ｂ〜３２６Ｄは、固定支持された単一の第３クリーニング装置３５１Ｂ〜３５１Ｄを備えている。第３クリーニング装置３５１Ｂ〜３５１Ｄは、第２クリーニング装置３５１Ａと同様の構成であるが、常時感光体ドラム３２２Ｂ〜３２２Ｄの表面にブレード（図示せず）が当接している。
【０１０２】
また、第３クリーニング装置３５１Ｂ〜３５１Ｄは、モノクロモード及びフルカラーモードの両モードにおいて感光体ドラム３２２Ｂ〜３２２Ｄから残トナーを除去する。
【０１０３】
これによって、上述と同様の効果を奏することができる。
【０１０４】
なお、本実施形態では、フルカラーモード時において第２クリーニング装置３５１Ａを用いて感光体ドラム３２２Ａの残トナーを除去しているが、モノクロ画像用の現像装置１１０Ａ及び少なくとも１つのカラー画像用の現像装置１１０Ｂ〜１１０Ｄが使用される際に第２クリーニング装置３５１Ａを用いて残トナーを除去すればよい。
【０１０５】
（第３実施形態）
図５は、この発明の実施形態に係る画像形成装置の概略の構成を示す説明図である。画像形成装置４００は、読み取った原稿の画像データやネットワーク等を介して送信された画像データに基づいて用紙に多色および単色の画像を形成する。画像形成装置４００は、露光ユニットＥ、感光体ドラム５０１Ａ〜５０１Ｄ、現像装置５０２Ａ〜５０２Ｄ、帯電ローラ５０３Ａ〜５０３Ｄ、クリーニング部５０４Ａ〜５０４Ｄ、中間転写ベルト４１１、一次転写ローラ４１３Ａ〜４１３Ｄ、二次転写ローラ４１４、定着装置４１５、用紙搬送経路Ｐ１，Ｐ２，Ｐ３、給紙カセット４１６、手差給紙トレイ４１７及び排紙トレイ４１８等を備えている。
【０１０６】
画像形成装置４００は、ブラック（Ｋ）、並びに、カラー画像を色分解して得られる減法混色の３原色であるシアン（Ｃ）、マゼンタ（Ｍ）及びイエロー（Ｙ）の４色の各色相に対応した画像データを用いて画像形成ユニットＰＡ〜ＰＤにおいて画像形成を行う。モノクロ画像用の画像形成ユニットＰＡ、及び、カラー画像用の画像形成ユニットＰＢ〜ＰＤは、互いに同様に構成されている。
【０１０７】
例えば、ブラックの画像形成ユニットＰＡは、感光体ドラム５０１Ａ、現像装置５０２Ａ、帯電ローラ５０３Ａ、転写ローラ４１３Ａ及びクリーニング部５０４Ａ等を備えている。画像形成部ＰＡ〜ＰＤは、中間転写ベルト４１１の図５に示す矢印方向（移動方向）に一列に配置されている。
【０１０８】
帯電ローラ５０３Ａは、感光体ドラム５０１Ａの表面を所定の電位に均一に帯電させる接触方式の帯電器である。帯電ローラ５０３Ａに代えて、帯電ブラシを用いた接触方式の帯電器、又は、帯電チャージャを用いた非接触方式の帯電器を用いることもできる。帯電ローラ５０３Ｂ〜５０３Ｄのそれぞれは、帯電ローラ５０３Ａと同様に構成されている。
【０１０９】
露光ユニットＥは、図示しない半導体レーザ、図示しないポリゴンミラー、第１ｆθレンズ４０７及び第２ｆθレンズ４０８等を備えており、ブラック、シアン、マゼンタ及びイエローの各色相の画像データによって変調されたレーザビームのそれぞれを感光体ドラム５０１Ａ〜５０１Ｄのそれぞれに照射する。感光体ドラム５０１Ａ〜５０１Ｄのそれぞれには、ブラック、シアン、マゼンタ及びイエローの各色相の画像データによる静電潜像が形成される。
【０１１０】
現像装置５０２Ａは、ブラックのトナーを収納しており、静電潜像が形成された感光体ドラム５０１Ａの表面にブラックのトナーを供給し、静電潜像をトナー像に顕像化する。現像装置５０２Ｂ〜５０２Ｄのそれぞれは、シアン、マゼンタ及びイエローの各色相のトナーを収納しており、感光体ドラム５０１Ｂ〜５０１Ｄのそれぞれに形成された各色相の静電潜像をシアン、マゼンタ及びイエローの各色相のトナー像に顕像化する。なお、現像装置５０２Ｂ〜５０２Ｄは本発明のカラー画像用の現像装置に相当し、現像装置５０２Ａは本発明のモノクロ画像用の現像装置に相当する。
【０１１１】
クリーニング部５０４Ａは、現像・画像転写後における感光体ドラム５０１Ａの表面の残トナーを除去・回収する。クリーニング部５０４Ａと同様に、クリーニング部５０４Ｂ〜５０４Ｄのそれぞれは、現像・画像転写後における感光体ドラム５０１Ｂ〜５０１Ｄの表面の残トナーを除去・回収する。詳細は後述する。
【０１１２】
中間転写ベルト４１１は、駆動ローラ４１１Ａと従動ローラ４１１Ｂとの間に張架されてループ状の移動経路を形成している。中間転写ベルト４１１の外周面は、感光体ドラム５０１Ｄ、感光体ドラム５０１Ｃ、感光体ドラム５０１Ｂ及び感光体ドラム５０１Ａにこの順に対向する。この中間転写ベルト４１１を挟んで各感光体ドラム５０１Ａ〜５０１Ｄに対向する位置に、一次転写ローラ４１３Ａ〜４１３Ｄが配置されている。中間転写ベルト４１１が感光体ドラム５０１Ａ〜５０１Ｄに対向する位置のそれぞれが一次転写位置である。
【０１１３】
一次転写ローラ４１３Ａ〜４１３Ｄには、感光体ドラム５０１Ａ〜５０１Ｄの表面に担持されたトナー像を中間転写ベルト４１１上に転写するために、トナーの帯電極性と逆極性の一次転写バイアスが定電圧制御によって印加される。これによって、感光体ドラム５０１Ａ〜５０１Ｄに形成された各色相のトナー像は中間転写ベルト４１１の外周面に順次重ねて転写され、中間転写ベルト４１１の外周面にフルカラーのトナー像が形成される。
【０１１４】
但し、イエロー、マゼンタ、シアン及びブラックの色相の一部のみの画像データが入力された場合には、４つの感光体ドラム５０１Ａ〜５０１Ｄのうち、入力された画像データの色相に対応する一部のみにおいて静電潜像及びトナー像の形成が行われる。例えば、モノクロ画像形成時には、ブラックの色相に対応した感光体ドラム５０１Ａのみにおいて静電潜像の形成及びトナー像の形成が行われ、中間転写ベルト４１１の外周面にはブラックのトナー像のみが転写される。
【０１１５】
各一次転写位置において中間転写ベルト４１１の外周面に転写されたトナー像は、中間転写ベルト４１１の回転によって、二次転写ローラ４１４との対向位置である二次転写位置に搬送される。二次転写ローラ４１４は、画像形成時において、内周面が駆動ローラ４１１Ａの周面に接触する中間転写ベルト４１１の外周面に所定のニップ圧で圧接されている。
【０１１６】
給紙カセット４１６又は手差給紙トレイ４１７から給紙された用紙（記録媒体）が二次転写ローラ４１４と中間転写ベルト４１１との間を通過する際に、二次転写ローラ４１４にトナーの帯電極性とは逆極性の高電圧が印加される。これによって、中間転写ベルト４１１の外周面から用紙の表面にトナー像が転写される。
【０１１７】
感光体ドラム５０１Ａ〜５０１Ｄの一部又は全部から中間転写ベルト４１１に付着したトナーのうち用紙上に転写されずに中間転写ベルト４１１上に残存したトナーは、次工程での混色を防止するために、クリーニング装置４１２によって回収される。
【０１１８】
トナー像が転写された用紙は、定着装置４１５に導かれ、加熱ローラ４１５Ａと加圧ローラ４１５Ｂとの間を通過して加熱及び加圧を受ける。これによって、トナー像が、用紙の表面に堅牢に定着する。トナー像が定着した用紙は、排紙ローラ４１８Ａによって排紙トレイ４１８上に排出される。
【０１１９】
画像形成装置４００には、給紙カセット４１６に収容されている用紙を二次転写ローラ４１４と中間転写ベルト４１１との間及び定着装置４１５を経由して排紙トレイ４１８に送るための略垂直方向の用紙搬送路Ｐ１が設けられている。
【０１２０】
用紙搬送路Ｐ１には、給紙カセット４１６内の用紙を一枚ずつ用紙搬送路Ｐ１内に繰り出すピックアップローラ４１６Ａ、給紙ローラ４１６Ｂ、複数枚の用紙が重なって繰り出された際に最上位に位置する用紙のみが搬送されるように用紙を捌く捌きパッド４１６Ｃ、及び、繰り出された用紙を用紙搬送路Ｐ１に沿って搬送する回転速度が変更自在な搬送ローラＲが配置されている。
【０１２１】
また、用紙搬送路Ｐ１の捌きパッド４１６Ｃの直後には、用紙検出器４３０が配設されている。用紙検出器４３０は、給紙ローラ４１６Ｂと捌きパッド４１６Ｃとの間を通過する用紙の有無を検出する。つまり、用紙検出器４３０は、ピックアップローラ４１６Ａによって給紙カセット４１６から用紙搬送路Ｐ１に１枚の用紙が適切に繰り出されたか否かを検出する。また、用紙検出器４３０は、図示しない制御部に検出結果を出力する。
【０１２２】
用紙搬送路Ｐ１には、搬送されてきた用紙を所定のタイミングで２次転写ローラ４１４と中間転写ベルト４１１との間に導くレジストローラ４１９、及び、用紙を排紙トレイ４１８に排出する排紙ローラ４１８Ａが配置されている。
【０１２３】
また、画像形成装置４００には、手差給紙トレイ４１７からレジストローラ４１９に至る間に用紙搬送路Ｐ２が形成されている。用紙搬送路Ｐ２には、用紙搬送路Ｐ１の構成と同様に、手差トレイ４１７に載置された用紙を一枚ずつ用紙搬送路Ｐ２内に繰り出すピックアップローラ４１７Ａ、給紙ローラ４１７Ｂ、捌きパッド４１７Ｃが配置されている。
【０１２４】
さらに、排紙ローラ４１８Ａから用紙搬送路Ｐ１におけるレジストローラ４１９の上流側に至る間には、用紙搬送路Ｐ３が形成されている。排紙ローラ４１８Ａは、正逆両方向に回転自在にされており、用紙の片面に画像を形成する片面画像形成時、及び、用紙の両面に画像を形成する両面画像形成における第２面画像形成時に正転方向に駆動されて用紙を排紙トレイ４１８に排出する。
【０１２５】
一方、両面画像形成における第１面画像形成時には、排出ローラ４１８Ａは、用紙の後端が定着装置４１５を通過するまで正転方向に駆動された後、用紙の後端部を挟持した状態で逆転方向に駆動されて用紙を用紙搬送路Ｐ３内に導く。これによって、両面画像形成時に片面のみに画像が形成された用紙は、表裏面及び前後端を反転した状態で用紙搬送路Ｐ１に導かれる。
【０１２６】
レジストローラ４１９は、給紙カセット１６若しくは手差し給紙トレイ４１７から給紙され、又は、用紙搬送路Ｐ３を経由して搬送された用紙を、中間転写ベルト４１１の回転に同期したタイミングで２次転写ローラ４１４と中間転写ベルト４１１との間に導く。
【０１２７】
図６は、クリーニング部５０４Ａの構成を示す断面図である。クリーニング部５０４Ａは、第２実施形態のクリーニング部３２６Ａと同様の構成であるので、各部の説明は省略する。
【０１２８】
現像装置５０２Ａ〜５０２Ｄを使用するフルカラーモード時において、制御部５７０がドライバ５５９Ａを介してモータ５５２３Ａを正回転させるとプレート５５２１Ａが揺動する。これに伴って、第１クリーニング装置５５０Ａ全体が感光体ドラム５０１Ａから離間する方向に揺動し、第２クリーニング装置５５１Ａ全体が感光体ドラム５０１Ａに近づく方向に揺動する。
【０１２９】
これにより、第１ブレード５５０１Ａ及びブラシローラ５５０２Ａが感光体ドラム５０１Ａの表面から離間し、第２ブレード５５１１Ａが感光体ドラム５０１Ａの表面に当接する。
【０１３０】
一方、現像装置５０２Ａを使用するモノクロモード時において、制御部５７０がドライバ５５９Ａを介してモータ５５２３Ａを逆回転させると、プレート５５２１Ａが揺動する。これに伴って、第２クリーニング装置５５１Ａ全体が感光体ドラム５０１Ａから離間する方向に揺動し、第１クリーニング装置５５０Ａ全体が感光体ドラム５０１Ａに近づく方向に揺動する。
【０１３１】
これにより、第１ブレード５５０１Ａ及びブラシローラ５５０２Ａが感光体ドラム５０１Ａの表面に当接し、第２ブレード５５１１Ａが感光体ドラム５０１Ａの表面から離間する。第１ブレード５５０１Ａ及びブラシローラ５５０２Ａによって除去された残トナーは、接続されたリサイクル機構５０５（搬送スクリュ５０６）によって現像装置５０２Ａに搬送される。
【０１３２】
なお、画像形成ユニットＰＢ〜ＰＤに備えられるクリーニング部５０４Ｂ〜５０４Ｄは、固定支持された単一の第３クリーニング装置５５１Ｂ〜５５１Ｄを備えている。第３クリーニング装置５５１Ｂ〜５５１Ｄは、第２クリーニング装置５５１Ａと同様の構成であるが、常時感光体ドラム５０１Ｂ〜５０１Ｄの表面にブレード（図示せず）が当接している。
【０１３３】
また、第３クリーニング装置５５５１Ｂ〜５５１Ｄは、モノクロモード時及びフルカラーモード時の両モードにおいて感光体ドラム５０１Ｂ〜５０１Ｄから残トナーを除去する。
【０１３４】
これによって、上述と同様の効果を奏することができる。
【０１３５】
なお、本実施形態では、フルカラーモード時において第２クリーニング装置５５１Ａを用いて感光体ドラム５０１Ａの残トナーを除去しているが、モノクロ画像用の現像装置５０２Ａ及び少なくとも１つのカラー画像用の現像装置５０２Ｂ〜５０２Ｄが使用される際に第２クリーニング装置５５１Ａを用いて残トナーを除去すればよい。
【図面の簡単な説明】
【０１３６】
【図１】この発明の実施形態に係る画像形成装置の簡単な構成を示す正面断面図である。
【図２】同画像形成装置に備えられるクリーニング部の構成を示す断面図である。
【図３】同画像形成装置の簡単な構成を示す正面断面図である。
【図４】同画像形成装置に備えられるクリーニング部の構成を示す断面図である。
【図５】同画像形成装置の簡単な構成を示す正面断面図である。
【図６】同画像形成装置に備えられるクリーニング部の構成を示す断面図である。
【符号の説明】
【０１３７】
１００，２００，４００−画像形成装置
１１，３２２Ａ〜３２２Ｄ，５０４Ａ〜５０４Ｄ−感光体ドラム
２１，３２６Ａ〜３２６Ｄ−クリーニング部
２１Ａ，３５０Ａ，−クリーニング装置
２１Ｂ，３５１Ａ〜３５１Ｄ，−クリーニング装置
５１，３５０１Ａ，−ブレード
５２，３５０３Ａ，−ブラシローラ
５３，３５１１Ａ〜３５１１Ｄ−ブレード
５５，３５２Ａ，−移動機構
５７−ソレノイド
６０，３６０，５０５−リサイクル機構
７０，３７０，５７０−制御部
３５２３Ａ，５５２３Ａ−モータ
【図１】
2007148152.tif 000003
【図２】
2007148152.tif 000004
【図３】
2007148152.tif 000005
【図４】
2007148152.tif 000006
【図５】
2007148152.tif 000007
【図６】
2007148152.tif 000008